(57)【要約】【課題】肩ストラップをカップ付き女性用衣類に容易に着脱する。【解決手段】留め具Ａ１は、その上部に、肩ストラップを係留するための第１係留部２を備えている。第１係留部２は、肩ストラップを係留するための左右方向を長径方向とする長孔３を有し、その左右方向の一端に、女性用衣類に係留する第２係留部４が連結されている。第２係留部４は、第１係留部２の一端から他端に向けて曲がるように延び、その他端側の先端に、第１係留部２側に突出する突出部５が設けられている。そして、第１係留部２と突出部５との間に隙間が形成されている。この留め具Ａ１では、第１係留部２における突出部５に対向する領域に、隙間が広がるように切り欠かれた第１テーパ部７が設けられ、第２係留部４の先端に、第１テーパ部７のテーパ角度と同じ角度で傾斜するように切り欠かれた第２テーパ部８が設けられている。【選択図】図２
2007303003.tif 000002
【特許請求の範囲】
【請求項１】
肩ストラップをカップ付き女性用衣類に着脱自在に取り付けるための留め具であって、
前記肩ストラップを係留するための長孔が形成された第１係留部と、
前記第１係留部における前記長孔の長手方向の一端側に連結され、他端側に向けて曲がるように延び、前記カップ付き女性用衣類に係留する第２係留部と、
前記第２係留部の先端に設けられ、前記第１係留部側に突出する突出部と、
を備え、
前記第１係留部の前記突出部に対向する領域には、前記第１係留部と前記突出部との間の隙間が広がるように切り欠かれた第１テーパ部が設けられており、
前記第２係留部の先端側には、前記第１テーパ部のテーパ角度と同じ角度で傾斜するように切り欠かれた第２テーパ部が設けられていることを特徴とする留め具。
【請求項２】
前記第１テーパ部及び前記第２テーパ部のテーパ角度は、前記長手方向に対して１５〜２５°であることを特徴とする請求項１記載の留め具。
【請求項３】
係留された前記カップ付き女性用衣類側に凸状に突出する挟持部を備えることを特徴とする請求項１又は２記載の留め具。
【発明の詳細な説明】
【技術分野】
【０００１】
本発明は、肩ストラップをカップ付き女性用衣類に着脱自在に取り付けるための留め具に関する。
【背景技術】
【０００２】
従来、ブラジャー等のカップ付き女性用衣類では、肩ストラップを着脱自在に取り付けるための留め具が採用されている。このような留め具としては、例えば、互いに隣接する２つの孔を有する枠状体を有し、その一部が切り欠かれて開口が形成され、一方の孔にストラップを挿通すると共に、他方の孔に開口を介してカップ付き女性用衣類を着脱自在に取り付けるものが知られている（例えば、特許文献１参照）。
【特許文献１】特開２０００−３０３２１４号公報
【発明の開示】
【発明が解決しようとする課題】
【０００３】
しかしながら、上記従来技術においては、カップ付き女性用衣類を着脱自在に取り付けるための開口は、広いと肩ストラップがカップ付き女性用衣類から外れてしまうおそれがあるため、比較的狭いものとされている。よって、肩ストラップをカップ付き女性用衣類に着脱し難いという問題があった。また、一般に、留め具は、そのサイズが小さく、片手で扱われることが多いため、上記従来技術では、肩ストラップをカップ付き女性用衣類に着脱することが困難な場合があった。
【０００４】
そこで、本発明は、肩ストラップをカップ付き女性用衣類に容易に着脱することができる留め具を提供することを課題とする。
【課題を解決するための手段】
【０００５】
上記課題を解決するために、本発明に係る留め具は、肩ストラップをカップ付き女性用衣類に着脱自在に取り付けるための留め具であって、肩ストラップを係留するための長孔が形成された第１係留部と、第１係留部における長孔の長手方向の一端側に連結され、他端側に向けて曲がるように延び、カップ付き女性用衣類に係留する第２係留部と、第２係留部の先端に設けられ、第１係留部側に突出する突出部と、を備え、第１係留部の突出部に対向する領域には、第１係留部と突出部との間の隙間が広がるように切り欠かれた第１テーパ部が設けられており、第２係留部の先端側には、第１テーパ部のテーパ角度と同じ角度で傾斜するように切り欠かれた第２テーパ部が設けられていることを特徴とする。
【０００６】
この本発明の留め具を用いて肩ストラップをカップ付き女性用衣類に着脱自在に取り付ける場合、例えば、第１係留部の長孔に肩ストラップを挿通し、肩ストラップを第１係留部に係留させる。そして、カップ付き女性用衣類に設けられたカップ吊部に、第１係留部と突出部との間の隙間を介して、第１係留部における長孔の長手方向の一端側に連結され他端側に向けて曲がるように延びる第２係留部を挿入する。このとき、第２係留部の先端には、カップ吊部が第２係留部から抜け出ないように、第１係留部側に突出する突出部が設けられているため、留め具を傾斜させて第２係留部をカップ吊部に挿入する。これにより、第２係留部がカップ吊部に係留される、すなわち肩ストラップがカップ付き女性用衣類に着脱自在に取り付けられることになる。
【０００７】
ここで、第２係留部の先端側には第２テーパ部が設けられているため、上述のように留め具を傾斜して第２係留部をカップ吊部に係留する場合、突出部のカップ吊部に対する実質的な高さが低いものになり、よって、第２係留部をカップ吊部に容易に挿通することができる。さらに、この場合、第２テーパ部は、第１係留部の突出部に対向する領域に第１係留部と突出部との間の隙間が広がるように切り欠かれた第１テーパ部と同じ角度で傾斜するテーパ角度であるため、カップ吊部は当該隙間を通り易くなり、第２係留部をカップ吊部に一層容易に挿通することが可能となる。従って、本発明の留め具によれば、肩ストラップをカップ付き女性用衣類に容易に着脱することが可能となる。
【０００８】
また、第１テーパ部及び第２テーパ部のテーパ角度は、係合部の長手方向に対し１５〜２５°であることが好ましい。
【０００９】
また、係留されたカップ付き女性用衣類側に凸状に突出する挟持部を備えることが好ましい。この場合、カップ付き女性用衣類側に凸状に突出する挟持部により、係留された当該カップ付き女性用衣類を挟持することができ、よって、肩ストラップをカップ付き女性用衣類に確実に取り付けることが可能となる。
【発明の効果】
【００１０】
本発明によれば、肩ストラップをカップ付き女性用衣類に容易に着脱することが可能となる。
【発明を実施するための最良の形態】
【００１１】
以下、添付図面を参照して、本発明の好適な実施形態について詳細に説明する。なお、「上」、「下」等の方向を示す語は、図面に示される状態に基づいており、便宜的なものである。
【００１２】
まず、本発明の第１実施形態に係る留め具Ａ１について説明する。この留め具Ａ１は、例えば、ブラジャー等のカップ付き女性用衣類に肩ストラップを着脱自在に取り付けるための留め具として用いられるものである。換言すると、本物品は、ブラジャー等のカップ付き女性用衣類に肩ストラップを着脱自在に取り付けるための留め具である。なお、カップ付き女性用衣類としては、ブラジャーの他にブラスリップ、ブラキャミソール、ボディスーツ等のファンデーション衣類の他、水着やレオタード等の種々のカップ付き女性用衣類が挙げられる。
【００１３】
留め具Ａ１は、図１に示すように、例えば、厚さ１ｍｍの板状の金属又は樹脂から成り、その外形が左右方向を長手方向とする略矩形形状を呈している。ここでは、留め具Ａ１の外形は、幅１７ｍｍ、高さ１０．５ｍｍとしている。図２（ａ）に示すように、この留め具Ａ１は、その上部に肩ストラップを係留するための第１係留部２を備えている。
【００１４】
第１係留部２には、左右方向（長手方向）を長径方向とする長孔３が形成され、この長孔３に肩ストラップを挿通することで、肩ストラップを係留する。具体的には、長孔３の長径方向に沿った外縁は左右方向に水平に延びると共に、長孔３の短径方向に沿った外縁はその下方が内側に傾斜するように斜めに延びており、四隅は滑らかな曲線のカーブ状を呈している。ここでは、長孔３の長手方向の長さは、１３ｍｍとしている。このような長孔３とすることで、当該長孔３に肩ストラップを好適に係留させる。この第１係留部２の左右方向の一端２ａには、カップ付き女性用衣類に係留する第２係留部４が連結されている。
【００１５】
第２係留部４は、第１係留部２の一端２ａから他端２ｂに向けて曲がるように延びている。具体的には、第２係留部４は、第１係留部２の一端２ａを基端として、当該一端２ａから外側に凸の円弧状に下方に延びると共に、その下端で第１係留部２の他端２ｂ側に向かって真っ直ぐ延びている。この第２係留部４の先端には、第１係留部２を内側に鉤状に屈曲するようにして第１係留部２側に突出する突出部５が設けられている。そして、このように、第１係留部２と第２係留部４とが連結することにより、第１係留部２と突出部５との間に隙間が形成され、また、留め具Ａ１の一端２ａ側の外縁がその略中央で内側に凹状を呈している、具体的には、第１係留部２の一端２ａ側の外縁は上下方向に鉛直に延び、これに連続する第２係留部４の外縁は外側に凸の円弧状に延びており、これらの間は内側に凹状となっている。
【００１６】
また、第２係留部４において、第１係留部２と対向する上縁４ａがその中央部を頂部として上方に凸状を呈している、換言すると、第１係留部２と対向する上縁４ａが略への字状となっている。すなわち、第１係留部２と第２係留部４とは、留め具Ａ１の中央部において近接している。この近接する第１係留部２と第２係留部４の凸状の部分とが、係留されたブラジャー側に凸状に突出する挟持部に相当する。
【００１７】
ここで、本実施形態の留め具Ａ１では、第１係留部２における突出部５に対向する領域に、隙間が広がるように切り欠かれた第１テーパ部７が設けられている。具体的には、第１係留部２の下縁において、その中央部から他端２ｂ側に向かって、上方に傾斜するように切り欠かれた第１テーパ部７が設けられている。
【００１８】
さらに、本実施形態の留め具Ａ１においては、第２係留部４の先端には、第１テーパ部７のテーパ角度と同じ角度で傾斜するように切り欠かれた第２テーパ部８が設けられている。具体的には、第２係留部４の下縁において、中央部から先端側に向かって、上方に傾斜するように切り欠かれた第２テーパ部８が設けられている。ここでの第１テーパ部７及び第２テーパ部８のテーパ角度は、左右方向（長手方向）に対して１５〜２５°としている。
【００１９】
この留め具Ａ１を用いて肩ストラップをブラジャーに着脱自在に取り付ける場合、まず、第１係留部２の長孔３に肩ストラップを挿通して肩ストラップを第１係留部に係留させ、留め具Ａ１と肩ストラップとを固定する。続いて、ブラジャーに設けられた例えばカップ吊部に、第１係留部２と突出部５との間の隙間を介して、第２係留部４を挿入する。
【００２０】
このとき、第２係留部４の先端には、カップ吊部が第２係留部から抜け出ないように、第１係留部２側に突出する突出部５が設けられている。そのため、突出部５の高さＨ１は、カップ吊部の挿通空間１０の高さより大きくされている。よって、留め具Ａ１を傾斜させて第２係留部４をカップ吊部に挿入することで、第２係留部がカップ吊部に係留される、すなわち肩ストラップがブラジャーに着脱自在に取り付けられることになる。
【００２１】
ここで、図２（ｂ）に示すように、留め具Ａ１では、上述のように第２係留部４の先端に第２テーパ部８が設けられているため、留め具Ａ１を傾斜させると（図中の矢印方向）、突出部５の高さは、挿通空間１０に対して実質的に低い高さＨ２となり、よって、第２係留部４を挿通空間１０に容易に挿通することができる。さらに、上述のように、第２テーパ部８が第１テーパ部７と同じ角度で傾斜するテーパ角度であるため、挿通空間１０が隙間を通り易くなる。その結果、第２係留部４をカップ吊部に一層容易にスムーズに挿通することが可能となる。従って、本実施形態の留め具Ａ１によれば、肩ストラップをブラジャーに容易に取り付けることが可能となる。
【００２２】
さらに、肩ストラップ及びブラジャーのカップ吊部の構造は、種々の女性用衣類において共通する場合が多く、よって、この留め具Ａ１は、従来のあらゆる留め具に適用することができ、非常に汎用性に優れている。
【００２３】
また、上述のように、留め具Ａ１には、第１テーパ部７及び第２テーパ部８が形成されているため、すっきりとしたシャープな印象をも与えることができ、女性用衣類で重要視される美感性をも損なわない。
【００２４】
さらに、上述のように、留め具Ａ１は挟持部を備えており、当該挟持部によりカップ吊部を上下方向から挟持することができる。よって、取り付けられたカップ吊部が第２係留部４から浮き上がったり、第２係留部４から外れたりすることを抑止し、肩ストラップとブラジャーとの取り付けを確実なものとすることが可能となる。
【００２５】
ここで、例えば、テーパ角度が、左右方向（長手方向）に対して１５°より小さい角度であると、留め具を傾斜させたときに、カップ吊部に対する突出部５の高さを実質的に低くするという上記作用が十分に発揮されないおそれがある。一方、テーパ角度が２５°より大きいと、第１係留部２及び第２係留部４を大きく切り欠くことになり、よって、これらに肩ストラップ又はブラジャーを係留させたときの留め具の強度が不足してしまうおそれがある。そこで、本実施形態においては、上述のように、第１テーパ部７及び第２テーパ部８のテーパ角度は、左右方向（長手方向）に対して１５〜２５°としており、上記効果、すなわち肩ストラップをブラジャーに容易に取り付けるという効果が好適に発揮される。
【００２６】
なお、ここでは、肩ストラップをブラジャーに取り付ける場合であるが、取り外す場合においても、上記と同様の作用効果を奏する。
【００２７】
ちなみに、図３〜図６８に示すように、本発明に係る留め具においては、図１に示した留め具Ａ１の一端２ａ側の外縁は、上下方向に鉛直に延びていてもよく、内側に湾曲した緩やかな曲線を呈していてもよく、外側に湾曲した緩やかな曲線を呈していてもよく、さらに、第１係留部２の一端２ａ側の外縁が外側に凸の円弧状に延びると共にこれに連続する第２係留部４の外縁も外側に凸の円弧状に延びるようにして構成されていてもよい。また、図１に示した第１係留部２の長孔３の短径方向に沿った外縁は、上下方向に鉛直に延びていてもよい。また、図１に示した第１係留部２の長孔３の長径方向に沿った外縁の下側は、その中央部を頂部として上方に大きく凸状となっていてもよい。また、図１に示した第２係留部４における第１係留部２と対向する上縁４ａは、下方に湾曲した緩やかな曲線を呈していてもよく、その中央部より一端２ａ側部分及び他端２ａ側部分のそれぞれが上方に凸状となるような波状を呈していてもよい。また、図１に示した第１係留部２は、２つの長孔を有するものでもよい。また、図１に示した留め具Ａ１は、その長孔３の長手方向の長さが長くなるように構成されていてもよく、短くなるように構成されていてもよく、例えば、長孔の長手方向の長さが１５ｍｍでも１０ｍｍでもよい。さらに、本発明に係る留め具は、これらを組み合わせたものであってもよい。
【図面の簡単な説明】
【００２８】
【図１】（ａ）は本発明の一実施形態に係る留め具Ａ１の正面図、（ｂ）は留め具Ａ１の平面図、（ｃ）は留め具Ａ１の底面図、（ｄ）は留め具Ａ１の右側面図、（ｅ）は留め具Ａ１の左側面図、（ｆ）は（ａ）中のＡ−Ａ線に沿った断面図である。本実施形態に係る留め具の背面図は、本実施形態に係る留め具の正面図と対称に表れる。
【図２】図１の留め具Ａ１を説明するための図である。
【図３】（ａ）は本発明の他の実施形態に係る留め具Ａ２の正面図、（ｂ）は留め具Ａ２の平面図、（ｃ）は留め具Ａ２の底面図、（ｄ）は留め具Ａ２の右側面図、（ｅ）は留め具Ａ２の左側面図、（ｆ）は（ａ）中のＡ−Ａ線に沿った断面図である。本実施形態に係る留め具の背面図は、本実施形態に係る留め具の正面図と対称に表れる。
【図４】（ａ）は本発明の他の実施形態に係る留め具Ａ３の正面図、（ｂ）は留め具Ａ３の平面図、（ｃ）は留め具Ａ３の底面図、（ｄ）は留め具Ａ３の右側面図、（ｅ）は留め具Ａ３の左側面図、（ｆ）は（ａ）中のＡ−Ａ線に沿った断面図である。本実施形態に係る留め具の背面図は、本実施形態に係る留め具の正面図と対称に表れる。
【図５】（ａ）は本発明の他の実施形態に係る留め具Ａ４の正面図、（ｂ）は留め具Ａ４の平面図、（ｃ）は留め具Ａ４の底面図、（ｄ）は留め具Ａ４の右側面図、（ｅ）は留め具Ａ４の左側面図、（ｆ）は（ａ）中のＡ−Ａ線に沿った断面図である。本実施形態に係る留め具の背面図は、本実施形態に係る留め具の正面図と対称に表れる。
【図６】（ａ）は本発明の他の実施形態に係る留め具Ａ５の正面図、（ｂ）は留め具Ａ５の平面図、（ｃ）は留め具Ａ５の底面図、（ｄ）は留め具Ａ５の右側面図、（ｅ）は留め具Ａ５の左側面図、（ｆ）は（ａ）中のＡ−Ａ線に沿った断面図である。本実施形態に係る留め具の背面図は、本実施形態に係る留め具の正面図と対称に表れる。
【図７】（ａ）は本発明の他の実施形態に係る留め具Ａ６の正面図、（ｂ）は留め具Ａ６の平面図、（ｃ）は留め具Ａ６の底面図、（ｄ）は留め具Ａ６の右側面図、（ｅ）は留め具Ａ６の左側面図、（ｆ）は（ａ）中のＡ−Ａ線に沿った断面図である。本実施形態に係る留め具の背面図は、本実施形態に係る留め具の正面図と対称に表れる。
【図８】（ａ）は本発明の他の実施形態に係る留め具Ａ７の正面図、（ｂ）は留め具Ａ７の平面図、（ｃ）は留め具Ａ７の底面図、（ｄ）は留め具Ａ７の右側面図、（ｅ）は留め具Ａ７の左側面図、（ｆ）は（ａ）中のＡ−Ａ線に沿った断面図である。本実施形態に係る留め具の背面図は、本実施形態に係る留め具の正面図と対称に表れる。
【図９】（ａ）は本発明の他の実施形態に係る留め具Ａ８の正面図、（ｂ）は留め具Ａ８の平面図、（ｃ）は留め具Ａ８の底面図、（ｄ）は留め具Ａ８の右側面図、（ｅ）は留め具Ａ８の左側面図、（ｆ）は（ａ）中のＡ−Ａ線に沿った断面図である。本実施形態に係る留め具の背面図は、本実施形態に係る留め具の正面図と対称に表れる。
【図１０】（ａ）は本発明の他の実施形態に係る留め具Ａ９の正面図、（ｂ）は留め具Ａ９の平面図、（ｃ）は留め具Ａ９の底面図、（ｄ）は留め具Ａ９の右側面図、（ｅ）は留め具Ａ９の左側面図、（ｆ）は（ａ）中のＡ−Ａ線に沿った断面図である。本実施形態に係る留め具の背面図は、本実施形態に係る留め具の正面図と対称に表れる。
【図１１】（ａ）は本発明の他の実施形態に係る留め具Ａ１０の正面図、（ｂ）は留め具Ａ１０の平面図、（ｃ）は留め具Ａ１０の底面図、（ｄ）は留め具Ａ１０の右側面図、（ｅ）は留め具Ａ１０の左側面図、（ｆ）は（ａ）中のＡ−Ａ線に沿った断面図である。本実施形態に係る留め具の背面図は、本実施形態に係る留め具の正面図と対称に表れる。
【図１２】（ａ）は本発明の他の実施形態に係る留め具Ａ１１の正面図、（ｂ）は留め具Ａ１１の平面図、（ｃ）は留め具Ａ１１の底面図、（ｄ）は留め具Ａ１１の右側面図、（ｅ）は留め具Ａ１１の左側面図、（ｆ）は（ａ）中のＡ−Ａ線に沿った断面図である。本実施形態に係る留め具の背面図は、本実施形態に係る留め具の正面図と対称に表れる。
【図１３】（ａ）は本発明の他の実施形態に係る留め具Ａ１２の正面図、（ｂ）は留め具Ａ１２の平面図、（ｃ）は留め具Ａ１２の底面図、（ｄ）は留め具Ａ１２の右側面図、（ｅ）は留め具Ａ１２の左側面図、（ｆ）は（ａ）中のＡ−Ａ線に沿った断面図である。本実施形態に係る留め具の背面図は、本実施形態に係る留め具の正面図と対称に表れる。
【図１４】（ａ）は本発明の他の実施形態に係る留め具Ａ１３の正面図、（ｂ）は留め具Ａ１３の平面図、（ｃ）は留め具Ａ１３の底面図、（ｄ）は留め具Ａ１３の右側面図、（ｅ）は留め具Ａ１３の左側面図、（ｆ）は（ａ）中のＡ−Ａ線に沿った断面図である。本実施形態に係る留め具の背面図は、本実施形態に係る留め具の正面図と対称に表れる。
【図１５】（ａ）は本発明の他の実施形態に係る留め具Ａ１４の正面図、（ｂ）は留め具Ａ１４の平面図、（ｃ）は留め具Ａ１４の底面図、（ｄ）は留め具Ａ１４の右側面図、（ｅ）は留め具Ａ１４の左側面図、（ｆ）は（ａ）中のＡ−Ａ線に沿った断面図である。本実施形態に係る留め具の背面図は、本実施形態に係る留め具の正面図と対称に表れる。
【図１６】（ａ）は本発明の他の実施形態に係る留め具Ａ１５の正面図、（ｂ）は留め具Ａ１５の平面図、（ｃ）は留め具Ａ１５の底面図、（ｄ）は留め具Ａ１５の右側面図、（ｅ）は留め具Ａ１５の左側面図、（ｆ）は（ａ）中のＡ−Ａ線に沿った断面図である。本実施形態に係る留め具の背面図は、本実施形態に係る留め具の正面図と対称に表れる。
【図１７】（ａ）は本発明の他の実施形態に係る留め具Ａ１６の正面図、（ｂ）は留め具Ａ１６の平面図、（ｃ）は留め具Ａ１６の底面図、（ｄ）は留め具Ａ１６の右側面図、（ｅ）は留め具Ａ１６の左側面図、（ｆ）は（ａ）中のＡ−Ａ線に沿った断面図である。本実施形態に係る留め具の背面図は、本実施形態に係る留め具の正面図と対称に表れる。
【図１８】（ａ）は本発明の他の実施形態に係る留め具Ａ１７の正面図、（ｂ）は留め具Ａ１７の平面図、（ｃ）は留め具Ａ１７の底面図、（ｄ）は留め具Ａ１７の右側面図、（ｅ）は留め具Ａ１７の左側面図、（ｆ）は（ａ）中のＡ−Ａ線に沿った断面図である。本実施形態に係る留め具の背面図は、本実施形態に係る留め具の正面図と対称に表れる。
【図１９】（ａ）は本発明の他の実施形態に係る留め具Ａ１８の正面図、（ｂ）は留め具Ａ１８の平面図、（ｃ）は留め具Ａ１８の底面図、（ｄ）は留め具Ａ１８の右側面図、（ｅ）は留め具Ａ１８の左側面図、（ｆ）は（ａ）中のＡ−Ａ線に沿った断面図である。本実施形態に係る留め具の背面図は、本実施形態に係る留め具の正面図と対称に表れる。
【図２０】（ａ）は本発明の他の実施形態に係る留め具Ａ１９の正面図、（ｂ）は留め具Ａ１９の平面図、（ｃ）は留め具Ａ１９の底面図、（ｄ）は留め具Ａ１９の右側面図、（ｅ）は留め具Ａ１９の左側面図、（ｆ）は（ａ）中のＡ−Ａ線に沿った断面図である。本実施形態に係る留め具の背面図は、本実施形態に係る留め具の正面図と対称に表れる。
【図２１】（ａ）は本発明の他の実施形態に係る留め具Ａ２０の正面図、（ｂ）は留め具Ａ２０の平面図、（ｃ）は留め具Ａ２０の底面図、（ｄ）は留め具Ａ２０の右側面図、（ｅ）は留め具Ａ２０の左側面図、（ｆ）は（ａ）中のＡ−Ａ線に沿った断面図である。本実施形態に係る留め具の背面図は、本実施形態に係る留め具の正面図と対称に表れる。
【図２２】（ａ）は本発明の他の実施形態に係る留め具Ａ２１の正面図、（ｂ）は留め具Ａ２１の平面図、（ｃ）は留め具Ａ２１の底面図、（ｄ）は留め具Ａ２１の右側面図、（ｅ）は留め具Ａ２１の左側面図、（ｆ）は（ａ）中のＡ−Ａ線に沿った断面図である。本実施形態に係る留め具の背面図は、本実施形態に係る留め具の正面図と対称に表れる。
【図２３】（ａ）は本発明の他の実施形態に係る留め具Ａ２２の正面図、（ｂ）は留め具Ａ２２の平面図、（ｃ）は留め具Ａ２２の底面図、（ｄ）は留め具Ａ２２の右側面図、（ｅ）は留め具Ａ２２の左側面図、（ｆ）は（ａ）中のＡ−Ａ線に沿った断面図である。本実施形態に係る留め具の背面図は、本実施形態に係る留め具の正面図と対称に表れる。
【図２４】（ａ）は本発明の他の実施形態に係る留め具Ａ２３の正面図、（ｂ）は留め具Ａ２３の平面図、（ｃ）は留め具Ａ２３の底面図、（ｄ）は留め具Ａ２３の右側面図、（ｅ）は留め具Ａ２３の左側面図、（ｆ）は（ａ）中のＡ−Ａ線に沿った断面図である。本実施形態に係る留め具の背面図は、本実施形態に係る留め具の正面図と対称に表れる。
【図２５】（ａ）は本発明の他の実施形態に係る留め具Ａ２４の正面図、（ｂ）は留め具Ａ２４の平面図、（ｃ）は留め具Ａ２４の底面図、（ｄ）は留め具Ａ２４の右側面図、（ｅ）は留め具Ａ２４の左側面図、（ｆ）は（ａ）中のＡ−Ａ線に沿った断面図である。本実施形態に係る留め具の背面図は、本実施形態に係る留め具の正面図と対称に表れる。
【図２６】（ａ）は本発明の他の実施形態に係る留め具Ａ２５の正面図、（ｂ）は留め具Ａ２５の平面図、（ｃ）は留め具Ａ２５の底面図、（ｄ）は留め具Ａ２５の右側面図、（ｅ）は留め具Ａ２５の左側面図、（ｆ）は（ａ）中のＡ−Ａ線に沿った断面図である。本実施形態に係る留め具の背面図は、本実施形態に係る留め具の正面図と対称に表れる。
【図２７】（ａ）は本発明の他の実施形態に係る留め具Ａ２６の正面図、（ｂ）は留め具Ａ２６の平面図、（ｃ）は留め具Ａ２６の底面図、（ｄ）は留め具Ａ２６の右側面図、（ｅ）は留め具Ａ２６の左側面図、（ｆ）は（ａ）中のＡ−Ａ線に沿った断面図である。本実施形態に係る留め具の背面図は、本実施形態に係る留め具の正面図と対称に表れる。
【図２８】（ａ）は本発明の他の実施形態に係る留め具Ａ２７の正面図、（ｂ）は留め具Ａ２７の平面図、（ｃ）は留め具Ａ２７の底面図、（ｄ）は留め具Ａ２７の右側面図、（ｅ）は留め具Ａ２７の左側面図、（ｆ）は（ａ）中のＡ−Ａ線に沿った断面図である。本実施形態に係る留め具の背面図は、本実施形態に係る留め具の正面図と対称に表れる。
【図２９】（ａ）は本発明の他の実施形態に係る留め具Ａ２８の正面図、（ｂ）は留め具Ａ２８の平面図、（ｃ）は留め具Ａ２８の底面図、（ｄ）は留め具Ａ２８の右側面図、（ｅ）は留め具Ａ２８の左側面図、（ｆ）は（ａ）中のＡ−Ａ線に沿った断面図である。本実施形態に係る留め具の背面図は、本実施形態に係る留め具の正面図と対称に表れる。
【図３０】（ａ）は本発明の他の実施形態に係る留め具Ａ２９の正面図、（ｂ）は留め具Ａ２９の平面図、（ｃ）は留め具Ａ２９の底面図、（ｄ）は留め具Ａ２９の右側面図、（ｅ）は留め具Ａ２９の左側面図、（ｆ）は（ａ）中のＡ−Ａ線に沿った断面図である。本実施形態に係る留め具の背面図は、本実施形態に係る留め具の正面図と対称に表れる。
【図３１】（ａ）は本発明の他の実施形態に係る留め具Ａ３０の正面図、（ｂ）は留め具Ａ３０の平面図、（ｃ）は留め具Ａ３０の底面図、（ｄ）は留め具Ａ３０の右側面図、（ｅ）は留め具Ａ３０の左側面図、（ｆ）は（ａ）中のＡ−Ａ線に沿った断面図である。本実施形態に係る留め具の背面図は、本実施形態に係る留め具の正面図と対称に表れる。
【図３２】（ａ）は本発明の他の実施形態に係る留め具Ａ３１の正面図、（ｂ）は留め具Ａ３１の平面図、（ｃ）は留め具Ａ３１の底面図、（ｄ）は留め具Ａ３１の右側面図、（ｅ）は留め具Ａ３１の左側面図、（ｆ）は（ａ）中のＡ−Ａ線に沿った断面図である。本実施形態に係る留め具の背面図は、本実施形態に係る留め具の正面図と対称に表れる。
【図３３】（ａ）は本発明の他の実施形態に係る留め具Ａ３２の正面図、（ｂ）は留め具Ａ３２の平面図、（ｃ）は留め具Ａ３２の底面図、（ｄ）は留め具Ａ３２の右側面図、（ｅ）は留め具Ａ３２の左側面図、（ｆ）は（ａ）中のＡ−Ａ線に沿った断面図である。本実施形態に係る留め具の背面図は、本実施形態に係る留め具の正面図と対称に表れる。
【図３４】（ａ）は本発明の他の実施形態に係る留め具Ａ３３の正面図、（ｂ）は留め具Ａ３３の平面図、（ｃ）は留め具Ａ３３の底面図、（ｄ）は留め具Ａ３３の右側面図、（ｅ）は留め具Ａ３３の左側面図、（ｆ）は（ａ）中のＡ−Ａ線に沿った断面図である。本実施形態に係る留め具の背面図は、本実施形態に係る留め具の正面図と対称に表れる。
【図３５】（ａ）は本発明の他の実施形態に係る留め具Ａ３４の正面図、（ｂ）は留め具Ａ３４の平面図、（ｃ）は留め具Ａ３４の底面図、（ｄ）は留め具Ａ３４の右側面図、（ｅ）は留め具Ａ３４の左側面図、（ｆ）は（ａ）中のＡ−Ａ線に沿った断面図である。本実施形態に係る留め具の背面図は、本実施形態に係る留め具の正面図と対称に表れる。
【図３６】（ａ）は本発明の他の実施形態に係る留め具Ａ３５の正面図、（ｂ）は留め具Ａ３５の平面図、（ｃ）は留め具Ａ３５の底面図、（ｄ）は留め具Ａ３５の右側面図、（ｅ）は留め具Ａ３５の左側面図、（ｆ）は（ａ）中のＡ−Ａ線に沿った断面図である。本実施形態に係る留め具の背面図は、本実施形態に係る留め具の正面図と対称に表れる。
【図３７】（ａ）は本発明の他の実施形態に係る留め具Ａ３６の正面図、（ｂ）は留め具Ａ３６の平面図、（ｃ）は留め具Ａ３６の底面図、（ｄ）は留め具Ａ３６の右側面図、（ｅ）は留め具Ａ３６の左側面図、（ｆ）は（ａ）中のＡ−Ａ線に沿った断面図である。本実施形態に係る留め具の背面図は、本実施形態に係る留め具の正面図と対称に表れる。
【図３８】（ａ）は本発明の他の実施形態に係る留め具Ａ３７の正面図、（ｂ）は留め具Ａ３７の平面図、（ｃ）は留め具Ａ３７の底面図、（ｄ）は留め具Ａ３７の右側面図、（ｅ）は留め具Ａ３７の左側面図、（ｆ）は（ａ）中のＡ−Ａ線に沿った断面図である。本実施形態に係る留め具の背面図は、本実施形態に係る留め具の正面図と対称に表れる。
【図３９】（ａ）は本発明の他の実施形態に係る留め具Ａ３８の正面図、（ｂ）は留め具Ａ３８の平面図、（ｃ）は留め具Ａ３８の底面図、（ｄ）は留め具Ａ３８の右側面図、（ｅ）は留め具Ａ３８の左側面図、（ｆ）は（ａ）中のＡ−Ａ線に沿った断面図である。本実施形態に係る留め具の背面図は、本実施形態に係る留め具の正面図と対称に表れる。
【図４０】（ａ）は本発明の他の実施形態に係る留め具Ａ３９の正面図、（ｂ）は留め具Ａ３９の平面図、（ｃ）は留め具Ａ３９の底面図、（ｄ）は留め具Ａ３９の右側面図、（ｅ）は留め具Ａ３９の左側面図、（ｆ）は（ａ）中のＡ−Ａ線に沿った断面図である。本実施形態に係る留め具の背面図は、本実施形態に係る留め具の正面図と対称に表れる。
【図４１】（ａ）は本発明の他の実施形態に係る留め具Ａ４０の正面図、（ｂ）は留め具Ａ４０の平面図、（ｃ）は留め具Ａ４０の底面図、（ｄ）は留め具Ａ４０の右側面図、（ｅ）は留め具Ａ４０の左側面図、（ｆ）は（ａ）中のＡ−Ａ線に沿った断面図である。本実施形態に係る留め具の背面図は、本実施形態に係る留め具の正面図と対称に表れる。
【図４２】（ａ）は本発明の他の実施形態に係る留め具Ａ４１の正面図、（ｂ）は留め具Ａ４１の平面図、（ｃ）は留め具Ａ４１の底面図、（ｄ）は留め具Ａ４１の右側面図、（ｅ）は留め具Ａ４１の左側面図、（ｆ）は（ａ）中のＡ−Ａ線に沿った断面図である。本実施形態に係る留め具の背面図は、本実施形態に係る留め具の正面図と対称に表れる。
【図４３】（ａ）は本発明の他の実施形態に係る留め具Ａ４２の正面図、（ｂ）は留め具Ａ４２の平面図、（ｃ）は留め具Ａ４２の底面図、（ｄ）は留め具Ａ４２の右側面図、（ｅ）は留め具Ａ４２の左側面図、（ｆ）は（ａ）中のＡ−Ａ線に沿った断面図である。本実施形態に係る留め具の背面図は、本実施形態に係る留め具の正面図と対称に表れる。
【図４４】（ａ）は本発明の他の実施形態に係る留め具Ａ４３の正面図、（ｂ）は留め具Ａ４３の平面図、（ｃ）は留め具Ａ４３の底面図、（ｄ）は留め具Ａ４３の右側面図、（ｅ）は留め具Ａ４３の左側面図、（ｆ）は（ａ）中のＡ−Ａ線に沿った断面図である。本実施形態に係る留め具の背面図は、本実施形態に係る留め具の正面図と対称に表れる。
【図４５】（ａ）は本発明の他の実施形態に係る留め具Ａ４４の正面図、（ｂ）は留め具Ａ４４の平面図、（ｃ）は留め具Ａ４４の底面図、（ｄ）は留め具Ａ４４の右側面図、（ｅ）は留め具Ａ４４の左側面図、（ｆ）は（ａ）中のＡ−Ａ線に沿った断面図である。本実施形態に係る留め具の背面図は、本実施形態に係る留め具の正面図と対称に表れる。
【図４６】（ａ）は本発明の他の実施形態に係る留め具Ａ４５の正面図、（ｂ）は留め具Ａ４５の平面図、（ｃ）は留め具Ａ４５の底面図、（ｄ）は留め具Ａ４５の右側面図、（ｅ）は留め具Ａ４５の左側面図、（ｆ）は（ａ）中のＡ−Ａ線に沿った断面図である。本実施形態に係る留め具の背面図は、本実施形態に係る留め具の正面図と対称に表れる。
【図４７】（ａ）は本発明の他の実施形態に係る留め具Ａ４６の正面図、（ｂ）は留め具Ａ４６の平面図、（ｃ）は留め具Ａ４６の底面図、（ｄ）は留め具Ａ４６の右側面図、（ｅ）は留め具Ａ４６の左側面図、（ｆ）は（ａ）中のＡ−Ａ線に沿った断面図である。本実施形態に係る留め具の背面図は、本実施形態に係る留め具の正面図と対称に表れる。
【図４８】（ａ）は本発明の他の実施形態に係る留め具Ａ４７の正面図、（ｂ）は留め具Ａ４７の平面図、（ｃ）は留め具Ａ４７の底面図、（ｄ）は留め具Ａ４７の右側面図、（ｅ）は留め具Ａ４７の左側面図、（ｆ）は（ａ）中のＡ−Ａ線に沿った断面図である。本実施形態に係る留め具の背面図は、本実施形態に係る留め具の正面図と対称に表れる。実線で表した部分が部分意匠として意匠登録を受けようとする部分である。一点鎖線は、部分意匠として意匠登録を受けようとする部分とその他の部分との境界のみを示す線である。
【図４９】（ａ）は本発明の他の実施形態に係る留め具Ａ４８の正面図、（ｂ）は留め具Ａ４８の平面図、（ｃ）は留め具Ａ４８の底面図、（ｄ）は留め具Ａ４８の右側面図、（ｅ）は留め具Ａ４８の左側面図、（ｆ）は（ａ）中のＡ−Ａ線に沿った断面図である。本実施形態に係る留め具の背面図は、本実施形態に係る留め具の正面図と対称に表れる。実線で表した部分が部分意匠として意匠登録を受けようとする部分である。一点鎖線は、部分意匠として意匠登録を受けようとする部分とその他の部分との境界のみを示す線である。
【図５０】（ａ）は本発明の他の実施形態に係る留め具Ａ４９の正面図、（ｂ）は留め具Ａ４９の平面図、（ｃ）は留め具Ａ４９の底面図、（ｄ）は留め具Ａ４９の右側面図、（ｅ）は留め具Ａ４９の左側面図、（ｆ）は（ａ）中のＡ−Ａ線に沿った断面図である。本実施形態に係る留め具の背面図は、本実施形態に係る留め具の正面図と対称に表れる。実線で表した部分が部分意匠として意匠登録を受けようとする部分である。一点鎖線は、部分意匠として意匠登録を受けようとする部分とその他の部分との境界のみを示す線である。
【図５１】（ａ）は本発明の他の実施形態に係る留め具Ａ５０の正面図、（ｂ）は留め具Ａ５０の平面図、（ｃ）は留め具Ａ５０の底面図、（ｄ）は留め具Ａ５０の右側面図、（ｅ）は留め具Ａ５０の左側面図、（ｆ）は（ａ）中のＡ−Ａ線に沿った断面図である。本実施形態に係る留め具の背面図は、本実施形態に係る留め具の正面図と対称に表れる。実線で表した部分が部分意匠として意匠登録を受けようとする部分である。一点鎖線は、部分意匠として意匠登録を受けようとする部分とその他の部分との境界のみを示す線である。
【図５２】（ａ）は本発明の他の実施形態に係る留め具Ａ５１の正面図、（ｂ）は留め具Ａ５１の平面図、（ｃ）は留め具Ａ５１の底面図、（ｄ）は留め具Ａ５１の右側面図、（ｅ）は留め具Ａ５１の左側面図、（ｆ）は（ａ）中のＡ−Ａ線に沿った断面図である。本実施形態に係る留め具の背面図は、本実施形態に係る留め具の正面図と対称に表れる。実線で表した部分が部分意匠として意匠登録を受けようとする部分である。一点鎖線は、部分意匠として意匠登録を受けようとする部分とその他の部分との境界のみを示す線である。
【図５３】（ａ）は本発明の他の実施形態に係る留め具Ａ５２の正面図、（ｂ）は留め具Ａ５２の平面図、（ｃ）は留め具Ａ５２の底面図、（ｄ）は留め具Ａ５２の右側面図、（ｅ）は留め具Ａ５２の左側面図、（ｆ）は（ａ）中のＡ−Ａ線に沿った断面図である。本実施形態に係る留め具の背面図は、本実施形態に係る留め具の正面図と対称に表れる。実線で表した部分が部分意匠として意匠登録を受けようとする部分である。一点鎖線は、部分意匠として意匠登録を受けようとする部分とその他の部分との境界のみを示す線である。
【図５４】（ａ）は本発明の他の実施形態に係る留め具Ａ５３の正面図、（ｂ）は留め具Ａ５３の平面図、（ｃ）は留め具Ａ５３の底面図、（ｄ）は留め具Ａ５３の右側面図、（ｅ）は留め具Ａ５３の左側面図、（ｆ）は（ａ）中のＡ−Ａ線に沿った断面図である。本実施形態に係る留め具の背面図は、本実施形態に係る留め具の正面図と対称に表れる。実線で表した部分が部分意匠として意匠登録を受けようとする部分である。一点鎖線は、部分意匠として意匠登録を受けようとする部分とその他の部分との境界のみを示す線である。
【図５５】（ａ）は本発明の他の実施形態に係る留め具Ａ５４の正面図、（ｂ）は留め具Ａ５４の平面図、（ｃ）は留め具Ａ５４の底面図、（ｄ）は留め具Ａ５４の右側面図、（ｅ）は留め具Ａ５４の左側面図、（ｆ）は（ａ）中のＡ−Ａ線に沿った断面図である。本実施形態に係る留め具の背面図は、本実施形態に係る留め具の正面図と対称に表れる。実線で表した部分が部分意匠として意匠登録を受けようとする部分である。一点鎖線は、部分意匠として意匠登録を受けようとする部分とその他の部分との境界のみを示す線である。
【図５６】（ａ）は本発明の他の実施形態に係る留め具Ａ５５の正面図、（ｂ）は留め具Ａ５５の平面図、（ｃ）は留め具Ａ５５の底面図、（ｄ）は留め具Ａ５５の右側面図、（ｅ）は留め具Ａ５５の左側面図、（ｆ）は（ａ）中のＡ−Ａ線に沿った断面図である。本実施形態に係る留め具の背面図は、本実施形態に係る留め具の正面図と対称に表れる。実線で表した部分が部分意匠として意匠登録を受けようとする部分である。一点鎖線は、部分意匠として意匠登録を受けようとする部分とその他の部分との境界のみを示す線である。
【図５７】（ａ）は本発明の他の実施形態に係る留め具Ａ５６の正面図、（ｂ）は留め具Ａ５６の平面図、（ｃ）は留め具Ａ５６の底面図、（ｄ）は留め具Ａ５６の右側面図、（ｅ）は留め具Ａ５６の左側面図、（ｆ）は（ａ）中のＡ−Ａ線に沿った断面図である。本実施形態に係る留め具の背面図は、本実施形態に係る留め具の正面図と対称に表れる。実線で表した部分が部分意匠として意匠登録を受けようとする部分である。一点鎖線は、部分意匠として意匠登録を受けようとする部分とその他の部分との境界のみを示す線である。
【図５８】（ａ）は本発明の他の実施形態に係る留め具Ａ５７の正面図、（ｂ）は留め具Ａ５７の平面図、（ｃ）は留め具Ａ５７の底面図、（ｄ）は留め具Ａ５７の右側面図、（ｅ）は留め具Ａ５７の左側面図、（ｆ）は（ａ）中のＡ−Ａ線に沿った断面図である。本実施形態に係る留め具の背面図は、本実施形態に係る留め具の正面図と対称に表れる。実線で表した部分が部分意匠として意匠登録を受けようとする部分である。一点鎖線は、部分意匠として意匠登録を受けようとする部分とその他の部分との境界のみを示す線である。
【図５９】（ａ）は本発明の他の実施形態に係る留め具Ａ５８の正面図、（ｂ）は留め具Ａ５８の平面図、（ｃ）は留め具Ａ５８の底面図、（ｄ）は留め具Ａ５８の右側面図、（ｅ）は留め具Ａ５８の左側面図、（ｆ）は（ａ）中のＡ−Ａ線に沿った断面図である。本実施形態に係る留め具の背面図は、本実施形態に係る留め具の正面図と対称に表れる。実線で表した部分が部分意匠として意匠登録を受けようとする部分である。一点鎖線は、部分意匠として意匠登録を受けようとする部分とその他の部分との境界のみを示す線である。
【図６０】（ａ）は本発明の他の実施形態に係る留め具Ａ５９の正面図、（ｂ）は留め具Ａ５９の平面図、（ｃ）は留め具Ａ５９の底面図、（ｄ）は留め具Ａ５９の右側面図、（ｅ）は留め具Ａ５９の左側面図、（ｆ）は（ａ）中のＡ−Ａ線に沿った断面図である。本実施形態に係る留め具の背面図は、本実施形態に係る留め具の正面図と対称に表れる。実線で表した部分が部分意匠として意匠登録を受けようとする部分である。一点鎖線は、部分意匠として意匠登録を受けようとする部分とその他の部分との境界のみを示す線である。
【図６１】（ａ）は本発明の他の実施形態に係る留め具Ａ６０の正面図、（ｂ）は留め具Ａ６０の平面図、（ｃ）は留め具Ａ６０の底面図、（ｄ）は留め具Ａ６０の右側面図、（ｅ）は留め具Ａ６０の左側面図、（ｆ）は（ａ）中のＡ−Ａ線に沿った断面図である。本実施形態に係る留め具の背面図は、本実施形態に係る留め具の正面図と対称に表れる。実線で表した部分が部分意匠として意匠登録を受けようとする部分である。一点鎖線は、部分意匠として意匠登録を受けようとする部分とその他の部分との境界のみを示す線である。
【図６２】（ａ）は本発明の他の実施形態に係る留め具Ａ６１の正面図、（ｂ）は留め具Ａ６１の平面図、（ｃ）は留め具Ａ６１の底面図、（ｄ）は留め具Ａ６１の右側面図、（ｅ）は留め具Ａ６１の左側面図、（ｆ）は（ａ）中のＡ−Ａ線に沿った断面図である。本実施形態に係る留め具の背面図は、本実施形態に係る留め具の正面図と対称に表れる。実線で表した部分が部分意匠として意匠登録を受けようとする部分である。一点鎖線は、部分意匠として意匠登録を受けようとする部分とその他の部分との境界のみを示す線である。
【図６３】（ａ）は本発明の他の実施形態に係る留め具Ａ６２の正面図、（ｂ）は留め具Ａ６２の平面図、（ｃ）は留め具Ａ６２の底面図、（ｄ）は留め具Ａ６２の右側面図、（ｅ）は留め具Ａ６２の左側面図、（ｆ）は（ａ）中のＡ−Ａ線に沿った断面図である。本実施形態に係る留め具の背面図は、本実施形態に係る留め具の正面図と対称に表れる。実線で表した部分が部分意匠として意匠登録を受けようとする部分である。一点鎖線は、部分意匠として意匠登録を受けようとする部分とその他の部分との境界のみを示す線である。
【図６４】（ａ）は本発明の他の実施形態に係る留め具Ａ６３の正面図、（ｂ）は留め具Ａ６３の平面図、（ｃ）は留め具Ａ６３の底面図、（ｄ）は留め具Ａ６３の右側面図、（ｅ）は留め具Ａ６３の左側面図、（ｆ）は（ａ）中のＡ−Ａ線に沿った断面図である。本実施形態に係る留め具の背面図は、本実施形態に係る留め具の正面図と対称に表れる。実線で表した部分が部分意匠として意匠登録を受けようとする部分である。一点鎖線は、部分意匠として意匠登録を受けようとする部分とその他の部分との境界のみを示す線である。
【図６５】（ａ）は本発明の他の実施形態に係る留め具Ａ６４の正面図、（ｂ）は留め具Ａ６４の平面図、（ｃ）は留め具Ａ６４の底面図、（ｄ）は留め具Ａ６４の右側面図、（ｅ）は留め具Ａ６４の左側面図、（ｆ）は（ａ）中のＡ−Ａ線に沿った断面図である。本実施形態に係る留め具の背面図は、本実施形態に係る留め具の正面図と対称に表れる。実線で表した部分が部分意匠として意匠登録を受けようとする部分である。一点鎖線は、部分意匠として意匠登録を受けようとする部分とその他の部分との境界のみを示す線である。
【図６６】（ａ）は本発明の他の実施形態に係る留め具Ａ６５の正面図、（ｂ）は留め具Ａ６５の平面図、（ｃ）は留め具Ａ６５の底面図、（ｄ）は留め具Ａ６５の右側面図、（ｅ）は留め具Ａ６５の左側面図、（ｆ）は（ａ）中のＡ−Ａ線に沿った断面図である。本実施形態に係る留め具の背面図は、本実施形態に係る留め具の正面図と対称に表れる。実線で表した部分が部分意匠として意匠登録を受けようとする部分である。一点鎖線は、部分意匠として意匠登録を受けようとする部分とその他の部分との境界のみを示す線である。
【図６７】（ａ）は本発明の他の実施形態に係る留め具Ａ６６の正面図、（ｂ）は留め具Ａ６６の平面図、（ｃ）は留め具Ａ６６の底面図、（ｄ）は留め具Ａ６６の右側面図、（ｅ）は留め具Ａ６６の左側面図、（ｆ）は（ａ）中のＡ−Ａ線に沿った断面図である。本実施形態に係る留め具の背面図は、本実施形態に係る留め具の正面図と対称に表れる。
【図６８】（ａ）は本発明の他の実施形態に係る留め具Ａ６７の正面図、（ｂ）は留め具Ａ６７の平面図、（ｃ）は留め具Ａ６７の底面図、（ｄ）は留め具Ａ６７の右側面図、（ｅ）は留め具Ａ６７の左側面図、（ｆ）は（ａ）中のＡ−Ａ線に沿った断面図である。本実施形態に係る留め具の背面図は、本実施形態に係る留め具の正面図と対称に表れる。
【符号の説明】
【００２９】
２…第１係留部、３…長孔、４…第２係留部、５…突出部、７…第１テーパ部、８…第２テーパ部、Ａ１〜Ａ６７…留め具。
【図１】
2007303003.tif 000003
【図２】
2007303003.tif 000004
【図３】
2007303003.tif 000005
【図４】
2007303003.tif 000006
【図５】
2007303003.tif 000007
【図６】
2007303003.tif 000008
【図７】
2007303003.tif 000009
【図８】
2007303003.tif 000010
【図９】
2007303003.tif 000011
【図１０】
2007303003.tif 000012
【図１１】
2007303003.tif 000013
【図１２】
2007303003.tif 000014
【図１３】
2007303003.tif 000015
【図１４】
2007303003.tif 000016
【図１５】
2007303003.tif 000017
【図１６】
2007303003.tif 000018
【図１７】
2007303003.tif 000019
【図１８】
2007303003.tif 000020
【図１９】
2007303003.tif 000021
【図２０】
2007303003.tif 000022
【図２１】
2007303003.tif 000023
【図２２】
2007303003.tif 000024
【図２３】
2007303003.tif 000025
【図２４】
2007303003.tif 000026
【図２５】
2007303003.tif 000027
【図２６】
2007303003.tif 000028
【図２７】
2007303003.tif 000029
【図２８】
2007303003.tif 000030
【図２９】
2007303003.tif 000031
【図３０】
2007303003.tif 000032
【図３１】
2007303003.tif 000033
【図３２】
2007303003.tif 000034
【図３３】
2007303003.tif 000035
【図３４】
2007303003.tif 000036
【図３５】
2007303003.tif 000037
【図３６】
2007303003.tif 000038
【図３７】
2007303003.tif 000039
【図３８】
2007303003.tif 000040
【図３９】
2007303003.tif 000041
【図４０】
2007303003.tif 000042
【図４１】
2007303003.tif 000043
【図４２】
2007303003.tif 000044
【図４３】
2007303003.tif 000045
【図４４】
2007303003.tif 000046
【図４５】
2007303003.tif 000047
【図４６】
2007303003.tif 000048
【図４７】
2007303003.tif 000049
【図４８】
2007303003.tif 000050
【図４９】
2007303003.tif 000051
【図５０】
2007303003.tif 000052
【図５１】
2007303003.tif 000053
【図５２】
2007303003.tif 000054
【図５３】
2007303003.tif 000055
【図５４】
2007303003.tif 000056
【図５５】
2007303003.tif 000057
【図５６】
2007303003.tif 000058
【図５７】
2007303003.tif 000059
【図５８】
2007303003.tif 000060
【図５９】
2007303003.tif 000061
【図６０】
2007303003.tif 000062
【図６１】
2007303003.tif 000063
【図６２】
2007303003.tif 000064
【図６３】
2007303003.tif 000065
【図６４】
2007303003.tif 000066
【図６５】
2007303003.tif 000067
【図６６】
2007303003.tif 000068
【図６７】
2007303003.tif 000069
【図６８】
2007303003.tif 000070